(57)【要約】【課題】特定空間内における快適性の向上を図ること。【解決手段】気流環境システムは、各々が空気流を吹き出す、少なくとも２つの吹出口３を備える。２つの吹出口３は、少なくとも一面Ｘ１が外部空間ＳＰ１に対して開放された特定空間ＳＰ２における一面Ｘ１の両縁Ｘ１０にそれぞれ配置される。２つの吹出口３は、各々から吹き出した空気流が互いに衝突して特定空間ＳＰ２内に流れ込むように構成される。【選択図】図１
2020118311.tif 000002
【特許請求の範囲】
【請求項１】
各々が空気流を吹き出す、少なくとも２つの吹出口を備え、
前記２つの吹出口は、少なくとも一面が外部空間に対して開放された特定空間における前記一面の両縁にそれぞれ配置され、
前記２つの吹出口は、各々から吹き出した前記空気流が互いに衝突して前記特定空間内に流れ込むように構成される、
気流環境システム。
【請求項２】
前記２つの吹出口は、前記特定空間内を向いている、
請求項１に記載の気流環境システム。
【請求項３】
前記２つの吹出口は、スリット状に形成されていて、
前記２つの吹出口の長手軸は、前記一面の両縁にそれぞれ沿っている、
請求項１又は２に記載の気流環境システム。
【請求項４】
前記特定空間は、前記一面に沿った方向から見たときに、Ｕ字状に形成された構造体により囲まれている、
請求項１〜３のいずれか１項に記載の気流環境システム。
【請求項５】
前記特定空間は、前記一面に加えて、前記外部空間に対して開放されている開放面を有し、
前記開放面は、前記一面と隣り合う面である、
請求項１〜４のいずれか１項に記載の気流環境システム。
【請求項６】
前記特定空間内に配置されて、かつ前記特定空間内の前記空気流を吸い込む吸気口を、更に備える、
請求項１〜５のいずれか１項に記載の気流環境システム。
【請求項７】
前記空気流を発生させて前記２つの吹出口に送る１又は複数の送風装置を、更に備える、
請求項１〜６のいずれか１項に記載の気流環境システム。
【請求項８】
前記特定空間に向けて音を鳴らすスピーカ部を、更に備える、
請求項１〜７のいずれか１項に記載の気流環境システム。
【請求項９】
前記２つの吹出口のうち少なくとも一方から前記特定空間内に吹き出す前記空気流に対して、付加要素を付与する機能部を、更に備え、
前記付加要素は、香り、空気浄化、及び温度変化のうちの少なくとも１つを含む、
請求項１〜８のいずれか１項に記載の気流環境システム。
【請求項１０】
前記特定空間は、１又は複数の人を収容可能な寸法を有する空間であり、
開放された前記一面は、前記１又は複数の人が前記特定空間内に進入するための進入口である、
請求項１〜９のいずれか１項に記載の気流環境システム。
【請求項１１】
請求項１〜１０のいずれか１項に記載の気流環境システムと、
環境空間を前記外部空間と前記特定空間とに区分けするパーティションと、
を備え、
前記パーティションは、前記特定空間を囲む構造体を有し、
前記構造体は、
前記一面と対向する背壁と、
前記背壁の両縁部にそれぞれ繋がっていて、互いに対向する一対の側壁と、
を有し、
前記２つの吹出口は、前記一対の側壁における前記一面の側の端部にそれぞれ設けられている、
パーティション装置。
【請求項１２】
前記気流環境システムは、前記空気流を発生させて前記２つの吹出口に送る１又は複数の送風装置を、更に備え、
前記構造体は、その内部において、
前記１又は複数の送風装置を収容する収容部と、
前記１又は複数の送風装置で発生した前記空気流を、前記収容部から前記２つの吹出口へ送る流路と、
を有する、
請求項１１に記載のパーティション装置。
【発明の詳細な説明】
【技術分野】
【０００１】
本開示は、一般に、気流環境システム、及びパーティション装置に関し、より詳細には、特定空間に気流を形成する気流環境システム、及び当該気流環境システムを備えたパーティション装置に関する。
【背景技術】
【０００２】
従来例として、特許文献１に記載の送風機付パーティションを例示する。この送風機付パーティションは、送風機と、送風機が内蔵されるパーティション本体とを備えている。送風機の送風口は、パーティション本体の前面上部に開口する空気吹出口に、ダクト等により連通される。また送風機の下方には空気室が設けられ、当該空気室は、パーティション本体の前面下部に開口する空気流入口に接続されている。この送風機付パーティションによれば、送風機付パーティション内に空気室を設けることにより、空気流入口をサーキュレーション効果の高い位置に設けることができる。
【先行技術文献】
【特許文献】
【０００３】
【特許文献１】特開平３−１３７４４２号公報
【発明の概要】
【発明が解決しようとする課題】
【０００４】
ところで、特許文献１に記載の送風機付パーティションで空間を仕切るだけでは、ユーザに対して閉塞感と開放感とを両立させて、快適な空間（特定空間）を提供することは容易ではない可能性がある。したがって、空間（特定空間）内における快適性の向上を図ることが望まれる。
【０００５】
本開示は上記事由に鑑みてなされ、特定空間内における快適性の向上を図ることができる、気流環境システム、及びパーティション装置を提供することを目的とする。
【課題を解決するための手段】
【０００６】
本開示の一態様の気流環境システムは、各々が空気流を吹き出す、少なくとも２つの吹出口を備える。前記２つの吹出口は、少なくとも一面が外部空間に対して開放された特定空間における前記一面の両縁にそれぞれ配置される。前記２つの吹出口は、各々から吹き出した前記空気流が互いに衝突して前記特定空間内に流れ込むように構成される。
【０００７】
本開示の一態様のパーティション装置は、上記の気流環境システムと、環境空間を前記外部空間と前記特定空間とに区分けするパーティションと、を備える。前記パーティションは、前記特定空間を囲む構造体を有する。前記構造体は、前記一面と対向する背壁と、前記背壁の両縁部にそれぞれ繋がっていて、かつ、互いに対向する一対の側壁と、を有する。前記２つの吹出口は、前記一対の側壁における前記一面の側の端部にそれぞれ設けられている。
【発明の効果】
【０００８】
本開示によれば、特定空間内における快適性の向上を図ることができる、という利点がある。
【図面の簡単な説明】
【０００９】
【図１】図１は、一実施形態に係る気流環境システムを備えたパーティション装置の外観斜視図である。
【図２】図２は、同上の気流環境システムの構成を示すブロック図である。
【図３】図３は、同上のパーティション装置の断面図である。
【図４】図４Ａは、図３の要部断面図である。図４Ｂは、同上のパーティション装置における一方の吹出口の含む要部平面図である。
【図５】図５Ａは、同上のパーティション装置の変形例１の外観斜視図である。図５Ｂは、同上のパーティション装置の変形例１における別の例の概略図である。
【図６】図６は、同上のパーティション装置の変形例２の概略図である。
【発明を実施するための形態】
【００１０】
（１）概要
以下の実施形態において説明する各図は、模式的な図であり、各図中の各構成要素の大きさ及び厚さそれぞれの比が、必ずしも実際の寸法比を反映しているとは限らない。
【００１１】
本実施形態に係る気流環境システム２は、図１に示すように、各々が空気流を吹き出す、少なくとも２つの吹出口３を備える。以下では一例として、吹出口３の数は２つであることを想定する。
【００１２】
２つの吹出口３は、図１及び図３に示すように、少なくとも一面Ｘ１が外部空間ＳＰ１に対して開放された特定空間ＳＰ２における一面Ｘ１の両縁Ｘ１０にそれぞれ配置される。本開示における「一面Ｘ１」とは、実体を伴わない仮想的な面であり、図３に示すように、両縁Ｘ１０にある２つの吹出口３を結ぶ仮想的な直線に沿った面である。
【００１３】
また本開示における「外部空間ＳＰ１」及び「特定空間ＳＰ２」は、一例として、施設内の空間（環境空間１００）を想定するが、施設外（屋外）の空間でもよい。施設は、例えば、オフィスビル、劇場、映画館、公会堂、遊技場、複合施設、飲食店、百貨店、学校、ホテル、旅館、病院、老人ホーム、幼稚園、図書館、博物館、美術館、地下街、駅、又は空港等の、非住宅でもよい。また施設は、非住宅以外に、戸建住宅又はマンション（集合住宅）等の、住宅でもよい。要するに、例えば、施設内（又は施設外）の環境空間１００の一部を特定空間ＳＰ２として、環境空間１００内における特定空間ＳＰ２以外の空間を外部空間ＳＰ１とする。
【００１４】
そして２つの吹出口３は、各々から吹き出した空気流が互いに衝突して特定空間ＳＰ２内に流れ込むように構成される（図３参照）。
【００１５】
この構成によれば、２つの吹出口３は、各々から吹き出した空気流が互いに衝突して特定空間ＳＰ２内に流れ込むように構成されるため、開放された一面Ｘ１を覆うような空気流の層が形成し得る。さらに、空気流が特定空間ＳＰ２内に流れ込む。したがって、特定空間ＳＰ２内における快適性の向上を図ることができる。
【００１６】
また本実施形態に係るパーティション装置１は、図１及び図３に示すように、気流環境システム２と、環境空間１００を外部空間ＳＰ１と特定空間ＳＰ２とに区分けするパーティション１０と、を備えている。パーティション１０は、特定空間ＳＰ２を囲む構造体１１を有する。構造体１１は、一面Ｘ１と対向する背壁１２と、一対の側壁１３と、を有する。一対の側壁１３は、背壁１２の両縁部１２０（図３参照）にそれぞれ繋がっていて、互いに対向する。２つの吹出口３は、一対の側壁１３における一面Ｘ１の側の端部にそれぞれ設けられている。
【００１７】
この構成によれば、特定空間ＳＰ２内における快適性の向上を図ることが可能な気流環境システム２を備えたパーティション装置１を提供できる。
【００１８】
（２）詳細
以下、本実施形態に係る気流環境システム２を備えたパーティション装置１の全体構成について、図１〜図４Ｂを参照しながら詳しく説明する。
【００１９】
（２．１）全体構成
パーティション装置１は、図１に示すように、例えば、施設内の床面１０１に設置される。パーティション装置１は、上述の通り、気流環境システム２と、パーティション１０と、を備えている。以下では、図１に示すようにパーティション装置１が床面１０１に設置された状態での、水平面（床面１０１）に対して垂直な（直交する）方向を「上下方向」とするが、この方向は、パーティション装置１の使用方向を限定する趣旨ではない。
【００２０】
（２．２）パーティション
パーティション１０は、施設内の環境空間１００を、外部空間ＳＰ１と特定空間ＳＰ２とに区分けするように構成される（図１及び図３参照）。パーティション１０は、特定空間ＳＰ２を囲む構造体１１を有している。
【００２１】
構造体１１は、全体として中空な略矩形の箱状に形成されている。構造体１１の中心軸Ｃ１における両端面は開放され、さらに中心軸Ｃ１に沿った一面Ｘ１は開放されている。すなわち、構造体１１は、中心軸Ｃ１に沿って見て、Ｕ字状に形成されている（図３参照）。言い換えると、特定空間ＳＰ２は、一面Ｘ１に沿った方向（ここでは上方）から見たときに、Ｕ字状に形成された構造体１１により囲まれている。そのため、例えば特定空間ＳＰ２内に居るユーザに与える特定空間ＳＰ２の閉塞感の向上を図ることができる。
【００２２】
ここではパーティション装置１が、中心軸Ｃ１を上下方向に向けて施設内の床面１０１に設置される。そのため、中心軸Ｃ１における開放された両端面のうちの一方は、上端面（以下、開放面Ｘ２と呼ぶ）となり外部空間ＳＰ１に対して開放され、他方は、下端面となり床面１０１により塞がれることになる。言い換えると、構造体１１により形成された特定空間ＳＰ２は、外部空間ＳＰ１に対して開放された一面Ｘ１と、外部空間ＳＰ１に対して開放された開放面Ｘ２と、を有していると言える。開放面Ｘ２は、一面Ｘ１と、隣り合う面であり、交差する面である。開放面Ｘ２が設けられていることで、例えば特定空間ＳＰ２内に居るユーザに与える特定空間ＳＰ２の開放感の向上を図ることができる。
【００２３】
より具体的には、構造体１１は、開放された一面Ｘ１に対向する背壁１２と、一対の側壁１３と、を有している。背壁１２と一対の側壁１３とは一体となって形成されている。一対の側壁１３は、背壁１２の両縁部１２０にそれぞれ繋がっていて、互いに対向する。背壁１２は、略矩形の板状に形成されている。また一対の側壁１３は、略矩形の板状に形成されている。各側壁１３は、一面Ｘ１の側の端部に、円柱部１３０を有している。円柱部１３０は、その軸が中心軸Ｃ１に沿った、長尺の形状である。円柱部１３０の直径は、側壁１３の他の部位の厚みよりも大きい（図３参照）。一対の側壁１３は、円柱部１３０のうち半円柱部分が互いに近づく方向にはみ出るように構成されている。
【００２４】
以下、一面Ｘ１と背壁１２とが並ぶ方向を、「前後方向」とし、一面Ｘ１の側を前側、背壁１２の側を後ろ側とする。また一対の側壁１３が並ぶ方向を、「左右方向」とし、一面Ｘ１の側（前側）から見て、左の側壁１３を、第１側壁１３Ａと呼び、右の側壁１３を、第２側壁１３Ｂと呼ぶこともある。ただし、これらの方向は、パーティション装置１の使用方向を限定する趣旨ではない。一対の側壁１３は、左右方向において実質的に面対称となるように構成されているため、説明の便宜上、図４Ａを用いて第１側壁１３Ａのみについて説明する場合もある。
【００２５】
背壁１２の厚み方向は、前後方向に一致する。各側壁１３の厚み方向は、左右方向に一致する。各側壁１３の厚みは、背壁１２の厚みよりも小さい。具体的には、背壁１２は、図３に示すように、左右の両縁部１２０付近の各々から対応する側壁１３に向かうにつれて、その厚みが徐々に小さくなりつつ、前方に湾曲するように形成されている。
【００２６】
ところで、構造体１１は、その内部において、収容部１４と、（左右２つの）流路１５と、を有している。収容部１４は、後述する気流環境システム２の２つの送風装置４を収容する空間である。２つの流路１５は、２つの送風装置４で発生した空気流を、収容部１４から、後述する気流環境システム２の２つの吹出口３へ送る空間である。ただし、本実施形態では、気流環境システム２の２つの吹出口３が、一対の側壁１３における一面Ｘ１の側の端部（円柱部１３０）にそれぞれ設けられている。具体的には、背壁１２及び一対の側壁１３は、その内部において、互いに連通する空間を有していて、当該空間が、収容部１４及び２つの流路１５に相当する。収容部１４は、背壁１２の内部にある。２つの流路１５は、背壁１２の内部と一対の側壁１３の内部にある。
【００２７】
（２．３）気流環境システム
気流環境システム２は、図１〜図３に示すように、２つの吹出口３、２つの吸気口６、２つの送風装置４（図２では１つのみ図示）、制御ユニット５、スピーカ部Ｆ１、機能部Ｇ１、及び操作部Ｈ１等、を備えている。上述した構造体１１は、２つの送風装置４（図２では１つのみ図示）、制御ユニット５、スピーカ部Ｆ１、機能部Ｇ１、及び操作部Ｈ１等を、その内部に収容、又は保持するように構成される。
【００２８】
２つの吹出口３は、上述の通り、構造体１１の一対の側壁１３における円柱部１３０にそれぞれ設けられている。言い換えると、２つの吹出口３は、一面Ｘ１の両縁Ｘ１０にそれぞれ配置される。各吹出口３は、送風装置４で発生した空気流を吹き出す。
【００２９】
２つの吹出口３は、各々から吹き出した空気流が互いに衝突して特定空間ＳＰ２内に流れ込むように構成される。特に本実施形態では、２つの吹出口３は、特定空間ＳＰ２内を向いている。なお、吹出口３の具体的な構造は、次の「（２．４）特定空間内の空気流」の欄で説明する。
【００３０】
２つの吸気口６は、構造体１１の背壁１２の前面において、左右方向に並ぶように形成されている。言い換えると、２つの吸気口６は、特定空間ＳＰ２内に配置されている。２つの吸気口６は、一例として、矩形状の開口を有している。床面１０１からの吸気口６の高さ位置は、床面１０１からの吹出口３の高さ位置と概ね同じである。２つの吸気口６は、特定空間ＳＰ２内の空気流を吸い込むための口である。２つの吸気口６は、収容部１４と連通する。各吸気口６は、異物等が吸い込まれることを抑制するために、メッシュ状のカバー部材等で覆われていることが望ましい。
【００３１】
２つの送風装置４（ファン部）は、空気流を発生させて２つの吹出口３にそれぞれ送るように構成される。具体的には、各送風装置４は、例えば制御ユニット５の制御により、特定の方向（左方向又は右方向）に沿って流れる空気流を発生させて、対応する流路１５を介して、吹出口３に送る。２つの送風装置４は、図３に示すように、背壁１２の内部にある収容部１４において、左右方向に並べて配置される。２つの送風装置４は、それらの特定の方向が互いに離れる方向となるように、すなわち、左側の送風装置４は、その特定の方向が左方となるように、右側の送風装置４は、その特定の方向が右方となるように配置される。
【００３２】
収容部１４は、各流路１５と隔壁１６で仕切られている。各隔壁１６は、対応する送風装置４の筒状のダクト４０が挿通される孔を有している。したがって、各送風装置４で発生した空気流は、ダクト４０を通り、対応する流路１５に送り出される。各流路１５は、ダクト４０の先端付近から、下方に傾斜するスロープ１５０を有しており、送り出された空気流が、側壁１３の内部で、上下方向に拡がりながら前方に進むように構成される。また各流路１５は、円柱部１３０内において、上下方向に沿って見て、先端が特定空間ＳＰ２を向くように略Ｊ字状に湾曲している（図４Ａ参照）。
【００３３】
各送風装置４は、例えば、旋回成分に比べて直進的な成分を多く含む空気流を発生するシロッコファンである。各送風装置４は、その周面の一部が、対応する吸気口６と対向するように、収容部１４内に収容されている。各送風装置４は、特定空間ＳＰ２内の空気を、対応する吸気口６から吸い込み、特定の方向に沿って流れる空気流を発生させる。送風装置４は、シロッコファンに限定されず、プロペラファンでもよい。
【００３４】
各送風装置４は、例えば、インバータ制御により、モータの回転速度を調整して風量を適宜に変更可能であってもよい。例えば、操作部Ｈ１には、風量調節用のボリュームが設けられていて、パーティション装置１の設置現場、すなわち環境空間１００において、ユーザが送風装置４の風量を適宜に調節できてもよい。また制御ユニット５が、自動的に送風装置４の風量を周期的に変化させてもよい。
【００３５】
制御ユニット５は、送風装置４を制御する機能を有している。制御ユニット５は、収容部１４内に収容されている。制御ユニット５は、例えば、プロセッサ及びメモリを有するコンピュータシステムを有している。そして、プロセッサがメモリに格納されているプログラムを実行することにより、コンピュータシステムが制御ユニット５として機能する。プロセッサが実行するプログラムは、ここではコンピュータシステムのメモリに予め記録されているが、メモリカード等の非一時的な記録媒体に記録されて提供されてもよいし、インターネット等の電気通信回線を通じて提供されてもよい。
【００３６】
背壁１２の裏側には、電源コードが導出されており、電源コードのプラグが、例えば床面１０１のフロアコンセント等に接続されて、送風装置４、スピーカ部Ｆ１、及び機能部Ｇ１等を駆動するための動作電源が供給され得る。背壁１２及び一対の側壁１３の底には、パーティション装置１を容易に移動できるようにキャスターが設けられてもよい。
【００３７】
操作部Ｈ１は、外部（ユーザ）からの操作入力を受け付ける。操作部Ｈ１は、例えば、背壁１２の前面等に設けられている。ユーザは、操作部Ｈ１への操作により、気流環境システム２の電源をオン、オフ可能となっている。制御ユニット５は、操作部Ｈ１にて電源をオンする操作を受け付けると、送風装置４の駆動を開始する。操作部Ｈ１は、リモートコントローラでもよく、その場合、構造体１１には、操作部Ｈ１から出射される赤外線を受光する受光部が設けられてもよい。
【００３８】
スピーカ部Ｆ１は、特定空間ＳＰ２に向けて、音楽等の音を鳴らすように構成される。スピーカ部Ｆ１は、左右一対のスピーカＦ１０（図３参照：図１では省略）、電源回路、音響回路、及び制御回路等を含む。電源回路、音響回路、及び制御回路のうち少なくとも一部の機能が、制御ユニット５に集約されてもよい。スピーカ部Ｆ１の稼働は、制御ユニット５の制御下で、送風装置４の稼働に連動するように制御されてもよい。スピーカ部Ｆ１のうち、一対のスピーカＦ１０は、それらの正面を特定空間ＳＰ２に向けて背壁１２の前面に配置され、その他の電源回路、音響回路、及び制御回路等は、収容部１４内に収容される。
【００３９】
ここではスピーカ部Ｆ１は、一例として、超音波を用いて指向性を持たせる、いわゆるパラメトリック・スピーカを想定する。スピーカ部Ｆ１がパラメトリック・スピーカであることで、特定空間ＳＰ２、すなわち局所的な空間内に居る人（ユーザ）に音を提供する。スピーカ部Ｆ１の電源のオン、オフ、及び音量調整等は、例えば、操作部Ｈ１への操作にて実行可能である。スピーカ部Ｆ１が設けられていることで、特定空間ＳＰ２に対して、空気流に加えて、音（音響）を提供できる。
【００４０】
機能部Ｇ１は、２つの吹出口３のうち少なくとも一方（ここでは一例として両方）から特定空間ＳＰ２内に吹き出す空気流に対して、付加要素を付与するように構成される。付加要素は、香り、空気浄化、及び温度変化のうちの少なくとも１つを含む。
【００４１】
付加要素が、香りを含む場合、機能部Ｇ１は、例えば、芳香剤を含む香り提示装置を２つ有する。２つの香り提示装置は、例えば、構造体１１の左右一対の側壁１３における円柱部１３０内にそれぞれ収容される（図４Ａ参照）。芳香剤から気化した香りは、送風装置４からの空気流に混ざり得る。その結果、特定空間ＳＰ２に居る人（ユーザ）に、良質な香りの空気を提供できる。
【００４２】
付加要素が、空気浄化を含む場合、機能部Ｇ１は、例えば、空気清浄装置を有する。空気清浄装置は、構造体１１の背壁１２における収容部１４内に収容される。空気清浄装置は、吸気口６から吸い込まれた空気中の花粉等の微粒子を集塵する集塵フィルタ、及び脱臭用のフィルタ等を有する。空気清浄装置で浄化された空気は、送風装置４にて空気流として２つの吹出口３から放出され得る。その結果、特定空間ＳＰ２に居る人（ユーザ）に、浄化された空気を提供できる。
【００４３】
また付加要素が、空気浄化を含む場合、機能部Ｇ１は、例えば、空間除菌脱臭機を有してもよい。空間除菌脱臭機は、構造体１１の背壁１２における収容部１４内に収容される。空間除菌脱臭機は、次亜塩素酸を生成して、送風装置４で発生した空気流に混入するように構成される。次亜塩素酸を含んだ空気流は、２つの吹出口３から放出されて、特定空間ＳＰ２を除菌する。その結果、特定空間ＳＰ２に居る人（ユーザ）に、浄化された空気を提供できる。
【００４４】
付加要素が、温度変化を含む場合、機能部Ｇ１は、例えば、空気調和装置を有する。空気調和装置は、コンプレッサを有し、空気調和装置にて生成された冷気又は暖気が、送風装置４にて空気流として２つの吹出口３から放出され得る。その結果、特定空間ＳＰ２に居る人（ユーザ）に、快適な温度の空気を提供できる。
【００４５】
機能部Ｇ１が上述した空気清浄装置、空間除菌脱臭機及び空気調和装置を有する場合、それらの電源のオン、オフ、及び各種パラメータの調整等は、例えば、操作部Ｈ１への操作にて実行可能である。なお、制御ユニット５が、機能部Ｇ１に関する制御を集中的に行なってもよい。機能部Ｇ１の稼働は、制御ユニット５の制御下で、送風装置４の稼働に連動するように制御されてもよい。
【００４６】
このように機能部Ｇ１が設けられていることで、空気流に対して、付加要素を付与できる。
【００４７】
（２．４）特定空間内の空気流
以下、パーティション装置１によって特定空間ＳＰ２内に形成され得る空気流について説明する。
【００４８】
上述の通り、パーティション装置１の２つの吹出口３は、各々から吹き出した空気流が互いに衝突して特定空間ＳＰ２内に流れ込むように、特定空間ＳＰ２内を向いている。そして、各吹出口３は、スリット状に形成されている。２つの吹出口３の長手軸(axis)は、一面Ｘ１の両縁Ｘ１０にそれぞれ沿っている。すなわち、スリット状の吹出口３の長手軸は、上下方向に沿っている（図４Ｂ参照）。円柱部１３０の吹出口３の前後の内縁をそれぞれ構成する第１ガイド面３１及び第２ガイド面３２は、図４Ａに示すように、背壁１２に近づくように、左右方向に対して僅かに斜めに傾斜している。左右方向（一面Ｘ１）に対する第１ガイド面３１及び第２ガイド面３２の傾斜角度は、例えば、５度〜４５度の範囲内を想定する。したがって、２つの吹出口３から吹き出す空気流は、互いに近づくように、かつ、第１ガイド面３１及び第２ガイド面３２の上記傾斜角度の向きに沿って特定空間ＳＰ２内に流れ込む。
【００４９】
図４Ｂの例では、スリット状の吹出口３の長さ寸法は、円柱部１３０の長さ寸法の約半分に規定されて、吹出口３は、円柱部１３０におけるやや上半分寄りに配置されているが、特に限定されない。吹出口３は、例えば、円柱部１３０の上下端近傍にわたって形成されてもよい。
【００５０】
図１及び図３は、パーティション装置１の２つの吹出口３から吹き出した空気流が、特定空間ＳＰ２内に流れ込む様子を、模式的に点線矢印で示す。気流環境システム２が稼働することで、２つの吹出口３から吹き出した空気流は、概ね特定空間ＳＰ２内における左右方向の中央付近で衝突する（図３の衝突点Ｐ１参照）。衝突点Ｐ１は、一面Ｘ１よりも後方にある。衝突点Ｐ１は、中心軸Ｃ１よりも手前にあることが望ましい。空気流は、衝突後、背壁１２の前面に向かって流れる。
【００５１】
空気流は、背壁１２及び特定空間ＳＰ２内に居る人（ユーザ）に当たり、一対の側壁１３に沿って、開放された一面Ｘ１の側に向かう可能性がある。ただし、その空気流は、吹出口３から吹き出している空気流の層や円柱部１３０の半円柱部分に当たることで、特定空間ＳＰ２内で循環する可能性が高くなる。そのため、吹出口３から吹き出した空気流が、外部空間ＳＰ１に漏れ出る可能性を抑え、効率良く２つの吸気口６に吸い込まれて、循環性の向上も図られる。
【００５２】
このように２つの吹出口３は、各々から吹き出した空気流が互いに衝突して特定空間ＳＰ２内に流れ込むように構成されるため、開放された一面Ｘ１（開口）を覆うような空気流の層が形成し得る。さらに、空気流が特定空間ＳＰ２内に流れ込む。したがって、例えば特定空間ＳＰ２内にユーザが居る場合、特定空間ＳＰ２内における快適性の向上を図ることができる。
【００５３】
また一面Ｘ１を覆うような空気流の層が、外部空間ＳＰ１と特定空間ＳＰ２とを仕切る壁となる一方で、空気流の層であるために視覚的な開放感が得られる。そして、パーティション装置１を利用するユーザにとっては、特定空間ＳＰ２をリラクゼーションの場として体感できる。
【００５４】
特に２つの吹出口３が、特定空間ＳＰ２内を向いているため、吹出口３から吹き出された空気流が、特定空間ＳＰ２の外側（外部空間ＳＰ１）に流出してしまう可能性を低減できる。また各吹出口３がスリット状に形成され、かつ吹出口３の長手軸(axis)が一面Ｘ１の両縁Ｘ１０にそれぞれ沿っているため、一面Ｘ１を覆うような空気流の層をより安定的に形成することができる。
【００５５】
なお、ユーザが、実際にパーティション装置１を利用する場合、例えば、特定空間ＳＰ２内に設置された椅子に着座した状態で利用してもよいし、特定空間ＳＰ２内で直立した状態で利用してもよい。パーティション装置１の使用用途に応じて、構造体１１の寸法及び形状が適宜に変更されてもよい。
【００５６】
（３）変形例
上記実施形態は、本開示の様々な実施形態の一つに過ぎない。上記実施形態は、本開示の目的を達成できれば、設計等に応じて種々の変更が可能である。以下、上記実施形態の変形例を列挙する。以下に説明する変形例は、適宜組み合わせて適用可能である。以下では、上記実施形態を「基本例」と呼ぶこともある。
【００５７】
（３．１）変形例１
以下、変形例１のパーティション装置１Ａについて、図５Ａを参照しながら説明する。ただし、基本例のパーティション装置１と実質的に共通する構成要素については同じ参照符号を付して、適宜にその説明を省略する。
【００５８】
変形例１のパーティション装置１Ａにおいては、パーティション１０は、構造体１１に加えて、座部１７と背もたれ１８とを有している点で、基本例のパーティション装置１と相違する。要するに、変形例１のパーティション１０は、パーティション装置１Ａを利用するユーザが着座する椅子としての機能も有している。
【００５９】
座部１７は、例えば上方から見て略台形の板状に形成されている。座部１７は、その厚み方向を上下方向に向けて、構造体１１の背壁１２に固定されている。背もたれ１８は、例えば前方から見て略矩形の板状に形成されている。
【００６０】
背もたれ１８は、座部１７の座面１７０の後方領域から上方に突出するように取り付けられている。背もたれ１８の上部１８０は、背壁１２に近づく方向に湾曲し、背壁１２に固定されている。背もたれ１８は、背壁１２の前面に設けられている一対の吸気口６を、前方から覆うように配置されている。背もたれ１８における上部１８０より下の部位は、背壁１２から離れていて、隙間１８１が形成されている。したがって、図５Ａに示すように人Ｕ１が座部１７に着座した状態においても、吹出口３から吹き出した空気流は、背もたれ１８の左右両側から隙間１８１に入り、一対の吸気口６に吸い込まれ得る。そのため、背もたれ１８及び人Ｕ１によって気流の循環性が低下する可能性を減らすことができる。
【００６１】
座部１７は、上方から見て、座面１７０が特定空間ＳＰ２内に収まるように、寸法関係が規定されている。背もたれ１８は、前方から見て全体が特定空間ＳＰ２内に収まるように、寸法関係が規定されている。ここでは、パーティション１０は、（例えば大人の）人Ｕ１が座部１７に着座した場合に、人Ｕ１の少なくとも頭部及び胴体が特定空間ＳＰ２からはみ出ない程度に、寸法関係が規定されている。また空気流が衝突する衝突点Ｐ１は、座部１７に着座している人Ｕ１と重ならないように、例えば人Ｕ１よりも手前に位置するように、パーティション１０の寸法関係が規定されている。
【００６２】
言い換えると、特定空間ＳＰ２は、１又は複数の人（図５Ａの例では１人分）を収容可能な寸法を有する空間である。そして、開放された一面Ｘ１は、人Ｕ１が特定空間ＳＰ２内に進入するための進入口である。したがって、パーティション装置１Ａを利用する人Ｕ１は、一面Ｘ１から特定空間ＳＰ２内に容易に進入して座部１７に着座することができ、特定空間ＳＰ２をリラクゼーションの場として体感できる。その結果、人Ｕ１の利便性が向上される。
【００６３】
また図５Ｂは、変形例１の別の例（パーティション装置１Ｂ）の上面図である。パーティション装置１Ｂは、特定空間ＳＰ２が複数（図示例では３つ）形成されるように構成される。すなわち、構造体１１は、例えば３つの特定空間ＳＰ２が左右に並ぶように横長の背壁１２と、４つの側壁１３とを有する。またパーティション１０は、座部１７及び背もたれ１８をそれぞれ３つずつ有している。以下、３つの特定空間ＳＰ２を左から順に第１空間ＳＰ２１、第２空間ＳＰ２２、及び第３空間ＳＰ２３と呼ぶ。
【００６４】
第１空間ＳＰ２１を形成する左の側壁１３は、基本例の第１側壁１３Ａと実質的に共通である。また第３空間ＳＰ２３を形成する右の側壁１３は、基本例の第２側壁１３Ｂと実質的に共通である。
【００６５】
第１空間ＳＰ２１を形成する右の側壁１３と第２空間ＳＰ２２を形成する左の側壁１３は、１つの側壁１３Ｘで共用されている。すなわち、側壁１３Ｘは、その円柱部１３０の左右両側において、２つの吹出口３を有している。この場合、側壁１３Ｘの２つの吹出口３からの空気流は、１つの送風装置４から生成されてもよい。
【００６６】
同様に、第２空間ＳＰ２２を形成する右の側壁１３と第３空間ＳＰ２３を形成する左の側壁１３は、１つの側壁１３Ｙで共用されている。すなわち、側壁１３Ｙは、その円柱部１３０の左右両側において、２つの吹出口３を有している。この場合、側壁１３Ｙの２つの吹出口３からの空気流は、１つの送風装置４から生成されてもよい。
【００６７】
パーティション装置１Ｂの構成によれば、複数の特定空間ＳＰ２を提供できるため、複数の人（ユーザ）が同時に特定空間ＳＰ２をリラクゼーションの場として体感できる。またパーティション装置１Ａを複数台用意する場合に比べて、側壁１３及び送風装置４等の共通化を図ることができるため、コストの削減を図ることができる。
【００６８】
（３．２）変形例２
以下、変形例２のパーティション装置１Ｃについて、図６を参照しながら説明する。ただし、基本例のパーティション装置１と実質的に共通する構成要素については同じ参照符号を付して、適宜にその説明を省略する。
【００６９】
変形例２のパーティション装置１Ｃは、その使用用途が基本例のパーティション装置１と相違する。特に、パーティション装置１Ｃの使用方向及び構造体１１の寸法等が、基本例のパーティション装置１と相違する。
【００７０】
パーティション装置１Ｃは、構造体１１の一面Ｘ１が天面（上面）となるように、すなわち構造体１１の中心軸Ｃ１が水平方向に沿うように、例えばベッド９の枕元に設置されて使用される。そして、人Ｕ１の頭部が特定空間ＳＰ２に収容されるように、構造体１１の寸法関係が規定されている。
【００７１】
パーティション装置１Ｃにおける構造体１１の背壁１２上には枕１９が載せ置かれてもよい。あるいは、背壁１２の表面自体が、ウレタン素材等の弾性部材で形成された層を有して、人Ｕ１の頭部が背壁１２上に直接載せ置かれてもよい。
【００７２】
パーティション装置１Ｃにおいて、送風装置４等を収容する収容部１４を背壁１２内に設けることが困難である場合、送風装置４等は、ヘッドボード９０の裏側、又はベッド９の床板の下側に設けられてもよい。この場合、送風装置４で発生した空気流が、ダクト等を介して、各側壁１３の内部に送り込まれてもよい。
【００７３】
ベッド９に横たわる人Ｕ１がパーティション装置１Ｃを利用することで、２つの吹出口３から下方に吹き出した空気流が、頭部に対して降り注がれ得る。そのため、ベッド９に横たわる人Ｕ１の快適性が向上される。特に、空気流に付加要素（香り、空気浄化、及び温度変化）が付与されることで、更に快適性が向上される。
【００７４】
変形例２の別の例として、パーティション装置１Ｃのパーティション１０は、構造体１１に加えて、構造体１１が一体的に取り付けられたベッド９を有してもよい。この場合、構造体１１の側壁１３が、ベッド９のベッド柵として機能するように、ベッド９の左右両縁に取り付けられてもよい。この場合、人Ｕ１の頭部から足元までの全身が特定空間ＳＰ２に収容されるように、構造体１１の寸法関係が規定されてもよい。
【００７５】
（３．３）その他の変形例
基本例において、気流環境システム２がパーティション装置１に適用されるように構成されている。しかし、気流環境システム２は、パーティションとしての機能（構造体１１）を有したパーティション装置１に適用されることに限定されない。言い換えると、気流環境システム２の２つの吹出口３は、例えば、構造体１１とは別体の、縦長の一対のポール状の部材に設けられてもよい。
【００７６】
基本例では、２つの吹出口３は、開放された一面Ｘ１における左右の両縁Ｘ１０にあるが、一面Ｘ１における上下の両縁にあってもよい。
【００７７】
基本例では、一対の側壁１３は、互いに平行となるように配置される。しかし、一対の側壁１３は、背壁１２の側から円柱部１３０に向かうほど、互いに離れるように斜めに配置されてもよいし、互いに近くづくように斜めに配置されてもよい。あるいは背壁１２及び各側壁１３が、上方から見てそれぞれ円弧状に形成されて、構造体１１全体が、上方から見て略Ｃ字状に形成されてもよい。
【００７８】
基本例において、構造体１１は、開放された一面Ｘ１を、開く位置と閉じる位置との間で開閉移動が可能な扉を更に有してもよい。また構造体１１は、上端面（開放面Ｘ２）を塞ぐ天井板、及び下端面を塞ぐ底板を更に有してもよい。あるいは、開放面Ｘ２の上方に、開放面Ｘ２と対向するように傘状の部材が設置されて、開放面Ｘ２から漏れ出る空気流が、当該部材に当たって特定空間ＳＰ２内に向かって還流するように構成されてもよい。
【００７９】
基本例では、空気流が衝突する衝突点Ｐ１が、一面Ｘ１よりも後方にあるが、一面Ｘ１と概ね一致する位置、又は一面Ｘ１よりも前方にあってもよい。ただし、基本例のように衝突点Ｐ１が一面Ｘ１よりも後方にある方が、パーティション装置１を利用する人の快適性、及び空気流の循環性が高い。
【００８０】
基本例では、吹出口３の数は２つであるが、３つ以上でもよい。例えば各側壁１３に２つの吹出口３が上下方向に並んで設けられてもよい（すなわち合計４つの吹出口３）。また２つの吹出口３同士を繋ぐ結合口が一面Ｘ１の上縁又は下縁（あるいは上縁及び下縁の両方）に設けられて、２つの吹出口３及び結合口が、一面Ｘ１の周縁を囲む１つの排気口を構成してもよい。
【００８１】
基本例では、送風装置４の数は２つであるが、１つのみでもよいし、３つ以上でもよい。また基本例では、吸気口６の数は２つであるが、１つのみでもよいし、３つ以上でもよい。
【００８２】
基本例におけるスピーカ部Ｆ１、及び機能部Ｇ１は、気流環境システム２において必須の構成要素ではなく、気流環境システム２は、これらのうち少なくとも１つを備えていなくてもよい。また送風装置４も、気流環境システム２において必須の構成要素ではなく、例えば外部に設置された送風機からの空気流が、ダクト等を介して側壁１３の内部に送り込まれてもよい。
【００８３】
また基本例における吸気口６は、気流環境システム２において必須の構成要素ではなく、気流環境システム２は、吸気口６を備えていなくてもよい。すなわち、吹出口３から特定空間ＳＰ２内に吹き出された空気流のほぼ全てが、開放面Ｘ２から外部空間ＳＰ１に抜け出てもよい。
【００８４】
基本例では、吸気口６は、背壁１２の前面に設けられている。しかし吸気口６は、例えば、背壁１２の背面に設けられてもよい。言い換えると、吸気口６は、吹出口３から特定空間ＳＰ２内に吹き出された空気流を直接吸い込むような位置に設けられていなくてもよい。
【００８５】
基本例では、気流環境システム２は、操作部Ｈ１を介して稼働するが、例えば、人感センサを備えて、人を検知すると、自動的に稼働するように構成されてもよい。
【００８６】
（４）まとめ
以上説明したように、第１の態様に係る気流環境システム（２）は、各々が空気流を吹き出す、少なくとも２つの吹出口（３）を備える。２つの吹出口（３）は、少なくとも一面（Ｘ１）が外部空間（ＳＰ１）に対して開放された特定空間（ＳＰ２）における一面（Ｘ１）の両縁（Ｘ１０）にそれぞれ配置される。２つの吹出口（３）は、各々から吹き出した空気流が互いに衝突して特定空間（ＳＰ２）内に流れ込むように構成される。第１の態様によれば、２つの吹出口（３）は、各々から吹き出した空気流が互いに衝突して特定空間（ＳＰ２）内に流れ込むように構成されるため、開放された一面（Ｘ１）を覆うような空気流の層が形成し得る。さらに、空気流が特定空間（ＳＰ２）内に流れ込む。したがって、特定空間（ＳＰ２）内における快適性の向上を図ることができる。
【００８７】
第２の態様に係る気流環境システム（２）に関して、第１の態様において、２つの吹出口（３）は、特定空間（ＳＰ２）内を向いていることが好ましい。第２の態様によれば、吹出口（３）から吹き出された空気流が、特定空間（ＳＰ２）の外側（外部空間ＳＰ１）に流出してしまう可能性を低減できる。
【００８８】
第３の態様に係る気流環境システム（２）に関して、第１の態様又は第２の態様において、２つの吹出口（３）は、スリット状に形成されていることが好ましい。２つの吹出口（３）の長手軸は、一面（Ｘ１）の両縁（Ｘ１０）にそれぞれ沿っている。第３の態様によれば、開放された一面（Ｘ１）を覆うような空気流の層をより安定的に形成することができる。
【００８９】
第４の態様に係る気流環境システム（２）に関して、第１〜第３の態様のいずれか１つにおいて、特定空間（ＳＰ２）は、一面（Ｘ１）に沿った方向から見たときに、Ｕ字状に形成された構造体（１１）により囲まれていることが好ましい。第４の態様によれば、例えば特定空間（ＳＰ２）内に居るユーザに与える特定空間（ＳＰ２）の閉塞感の向上を図ることができる。
【００９０】
第５の態様に係る気流環境システム（２）に関して、第１〜第４の態様のいずれか１つにおいて、特定空間（ＳＰ２）は、一面（Ｘ１）に加えて、外部空間（ＳＰ１）に対して開放されている開放面（Ｘ２）を有することが好ましい。開放面（Ｘ２）は、一面（Ｘ１）と隣り合う面である。第５の態様によれば、例えば特定空間（ＳＰ２）内に居るユーザに与える特定空間（ＳＰ２）の開放感の向上を図ることができる。
【００９１】
第６の態様に係る気流環境システム（２）は、第１〜第５の態様のいずれか１つにおいて、特定空間（ＳＰ２）内に配置されて、かつ特定空間（ＳＰ２）内の空気流を吸い込む吸気口（６）を、更に備えることが好ましい。第６の態様によれば、特定空間（ＳＰ２）内に流れ込んだ空気流が、吸気口（６）に吸い込まれる流路を形成できる。また空気流の循環を容易に行える。
【００９２】
第７の態様に係る気流環境システム（２）は、第１〜第６の態様のいずれか１つにおいて、空気流を発生させて２つの吹出口（３）に送る１又は複数の送風装置（４）を、更に備えることが好ましい。第７の態様によれば、特定空間（ＳＰ２）内における快適性の向上を図ることができる、送風装置（４）付きの気流環境システム（２）を提供できる。
【００９３】
第８の態様に係る気流環境システム（２）は、第１〜第７の態様のいずれか１つにおいて、特定空間（ＳＰ２）に向けて音を鳴らすスピーカ部（Ｆ１）を、更に備えることが好ましい。第８の態様によれば、特定空間（ＳＰ２）に対して、空気流に加えて音（例えば音響）を提供できる。
【００９４】
第９の態様に係る気流環境システム（２）は、第１〜第８の態様のいずれか１つにおいて、機能部（Ｇ１）を、更に備えることが好ましい。機能部（Ｇ１）は、２つの吹出口（３）のうち少なくとも一方から特定空間（ＳＰ２）内に吹き出す空気流に対して、付加要素を付与する。付加要素は、香り、空気浄化、及び温度変化のうちの少なくとも１つを含む。第９の態様によれば、空気流に対して、付加要素を付与できる。
【００９５】
第１０の態様に係る気流環境システム（２）に関して、第１〜第９の態様のいずれか１つにおいて、特定空間（ＳＰ２）は、１又は複数の人を収容可能な寸法を有する空間であることが好ましい。開放された一面（Ｘ１）は、１又は複数の人が特定空間（ＳＰ２）内に進入するための進入口である。第１０の態様によれば、気流環境システム（２）を利用する人（ユーザ）の利便性が向上される。
【００９６】
第１１の態様に係るパーティション装置（１、１Ａ〜１Ｃ）は、第１〜第１０の態様のいずれか１つにおける気流環境システム（２）と、環境空間（１００）を外部空間（ＳＰ１）と特定空間（ＳＰ２）とに区分けするパーティション（１０）と、を備える。パーティション（１０）は、特定空間（ＳＰ２）を囲む構造体（１１）を有する。構造体（１１）は、一面（Ｘ１）と対向する背壁（１２）と、一対の側壁（１３）と、を有する。一対の側壁（１３）は、背壁（１２）の両縁部（１２０）にそれぞれ繋がっていて、互いに対向する。２つの吹出口（３）は、一対の側壁（１３）における一面（Ｘ１）の側の端部にそれぞれ設けられている。第１１の態様によれば、特定空間（ＳＰ２）内における快適性の向上を図ることが可能な気流環境システム（２）を備えたパーティション装置（１、１Ａ〜１Ｃ）を提供できる。
【００９７】
第１２の態様に係るパーティション装置（１、１Ａ〜１Ｃ）に関して、第１１の態様において、気流環境システム（２）は、空気流を発生させて２つの吹出口（３）に送る１又は複数の送風装置（４）を、更に備えることが好ましい。構造体（１１）は、その内部において、収容部（１４）と、流路（１５）と、を有する。収容部（１４）は、１又は複数の送風装置（４）を収容する。流路（１５）は、１又は複数の送風装置（４）で発生した空気流を、収容部（１４）から２つの吹出口（３）へ送る。第１２の態様によれば、特定空間（ＳＰ２）内における快適性の向上を図ることが可能な、送風装置（４）を内蔵するパーティション装置（１、１Ａ〜１Ｃ）を提供できる。
【００９８】
第２〜第１０の態様に係る構成については、気流環境システム（２）に必須の構成ではなく、適宜省略可能である。また第１２の態様に係る構成については、パーティション装置（１、１Ａ〜１Ｃ）に必須の構成ではなく、適宜省略可能である。
【符号の説明】
【００９９】
１、１Ａ〜１Ｃ  パーティション装置
２  気流環境システム
３  吹出口
４  送風装置
６  吸気口
１０  パーティション
１１  構造体
１２  背壁
１２０  縁部
１３  側壁
１４  収容部
１５  流路
１００  環境空間
ＳＰ１  外部空間
ＳＰ２  特定空間
Ｆ１  スピーカ部
Ｇ１  機能部
Ｘ１  一面
Ｘ１０  両縁
【図１】
2020118311.tif 000003
【図２】
2020118311.tif 000004
【図３】
2020118311.tif 000005
【図４】
2020118311.tif 000006
【図５】
2020118311.tif 000007
【図６】
2020118311.tif 000008